(57)【要約】 【課題】ある条件である内容の制御を行うべきことを外部から通信端末装置に対して送信指示する場合に、その送信側が高い自由度で容易に当該通信端末装置を制御できるようにする。 【解決手段】中央制御部１１は、任意の条件で任意の内容を制御すべきことが外部（他の携帯電話装置１１など）から送信指示された場合に、この外部指示情報を構成する制御内容とその実行の契機となる実行条件とを無線通信部１６から受信して外部指示情報記憶部ＲＣに記憶するようにしている。この状態において、中央制御部１１は、この実行条件に該当する現在の使用状況を検出すると共に、この検出結果と実行条件とを比較して当該実行条件を満すか否かを判別し、この判別結果に基づいてその実行条件に対応する制御内容を実行する。 【選択図】  図２
2009065491.tif 000002
【特許請求の範囲】
【請求項１】
任意の条件で任意の内容を制御すべきことが外部から送信指示された場合に、この外部指示情報を構成する制御内容とその実行の契機となる実行条件とを受信する受信手段と、
この受信手段によって受信された制御内容と実行条件とを対応付けて記憶する記憶手段と、
この記憶手段に記憶されている実行条件に該当する使用状況を検出する検出手段と、
この検出手段による検出結果に基づいて、前記記憶手段に記憶されている実行条件を満すか否かを判別する判別手段と、
この判別手段による判別結果に基づいて、前記記憶手段に記憶されている制御内容を実行する実行手段と、
を具備したことを特徴とする通信端末装置。
【請求項２】
前記受信手段によって制御内容と実行条件とを受信した際には、受信した旨のユーザへの報知を抑制する、
ようにしたことを特徴とする請求項１記載の通信端末装置。
【請求項３】
前記実行条件は、通信端末装置の位置に関する条件であって、
前記検出手段は、通信端末装置の位置を検出し、
前記判別手段は、前記検出手段によって検出された位置に基づいて、実行条件を満すか否かを判別する、
ようにしたことを特徴とする請求項１記載の通信端末装置。
【請求項４】
前記実行条件は、通信端末装置の動作電源の状況に関する条件であって、
前記検出手段は、通信端末装置の動作電源の状況を検出し、
前記判別手段は、前記検出手段によって検出された動作電源の状況に基づいて、実行条件を満すか否かを判別する、
ようにしたことを特徴とする請求項１記載の通信端末装置。
【請求項５】
前記実行条件は、通信端末装置の筐体の配置状況であるスタイルに関する条件であって、
前記検出手段は、通信端末装置のスタイルを検出し、
前記判別手段は、前記検出手段によって検出されたスタイルに基づいて、実行条件を満すか否かを判別する、
ようにしたことを特徴とする請求項１記載の通信端末装置。
【請求項６】
前記実行条件は、通信端末装置に搭載されている機能の動作に関する条件であって、
前記検出手段は、通信端末装置に搭載されている機能の動作を検出し、
前記判別手段は、前記検出手段によって検出された機能の動作に基づいて、実行条件を満すか否かを判別する、
ようにしたことを特徴とする請求項１記載の通信端末装置。
【請求項７】
前記機能の動作に関する条件は、所定機能による所定場所の検出である、
ことを特徴とする請求項６記載の通信端末装置。
【請求項８】
前記機能の動作に関する条件は、所定機能の起動である、
ことを特徴とする請求項６記載の通信端末装置。
【請求項９】
前記機能の動作に関する条件は、所定機能における使用量である、
ことを特徴とする請求項６記載の通信端末装置。
【請求項１０】
前記機能の動作に関する条件は、所定機能の使用時刻あるいは使用場所である、
ことを特徴とする請求項６記載の通信端末装置。
【請求項１１】
前記機能の動作に関する条件は、所定機能の通信開始である、
ことを特徴とする請求項６記載の通信端末装置。
【請求項１２】
前記機能の動作に関する条件は、所定機能による通信相手の指定である、
ことを特徴とする請求項６記載の通信端末装置。
【請求項１３】
前記制御内容は、通信端末装置に記憶されているデータ、あるいは前記受信手段によって制御内容と実行条件と共に受信したデータを出力させることを指示する、
ようにしたことを特徴とする請求項１記載の通信端末装置。
【請求項１４】
前記制御内容は、通信端末装置に記憶されているデータ、あるいは前記受信手段によって制御内容と実行条件と共に受信したデータを外部に送信させることを指示する、
ようにしたことを特徴とする請求項１記載の通信端末装置。
【請求項１５】
前記制御内容は、通信端末装置に搭載されている機能、あるいは前記受信手段によって制御内容と実行条件と共に受信した機能を起動させることを指示する、
ようにしたことを特徴とする請求項１記載の通信端末装置。
【請求項１６】
前記制御内容は、通信端末装置に搭載されている機能、あるいは前記受信手段によって制御内容と実行条件と共に受信した機能を外部に送信させることを指示する、
ようにしたことを特徴とする請求項１記載の通信端末装置。
【請求項１７】
コンピュータに対して、
任意の条件で任意の内容を制御すべきことが外部から送信指示された場合に、この外部指示情報を構成する制御内容とその実行の契機となる実行条件とを受信する機能と、
前記受信された制御内容と実行条件とを対応付けて記憶管理する機能と、
前記記憶されている実行条件に該当する使用状況を検出する機能と、
前記検出結果に基づいて前記実行条件を満すか否かを判別する機能と、
前記判別結果に基づいて前記制御内容を実行する機能と、
を実現させるためのプログラム。
【発明の詳細な説明】
【技術分野】
【０００１】
この発明は、携帯電話装置などの通信端末装置及びプログラムに関する。
【背景技術】
【０００２】
従来、通信端末装置においてはファイルを起動する時刻を、そのファイルを送信した送信側で指定可能とした技術が開示されている（特許文献１参照）。すなわち、情報提供側で指定した時刻データとファイル（動画データ、静止画データ、音声データを含む）とを無線通信を介して受信し、受信した時刻データが示す時刻に到達した場合に、受信したファイルを起動及び実行する携帯端末装置が開示されている。
【特許文献１】特開２００６−１４８８４４号公報
【発明の開示】
【発明が解決しようとする課題】
【０００３】
しかしながら、上述の通信端末装置では、ファイルを起動するタイミングとして指定できる条件が時刻データだけであるため、送信側（情報提供側）で指定できる条件の自由度は低く、また、指定された時刻に到達した場合に実行される制御の内容がファイルの起動だけであるため、送信側ではファイル起動以外の制御内容を指定することはできず、指定できる制御内容の自由度も低かった。
【０００４】
この発明の課題は、ある条件である内容の制御を行うべきことを通信端末装置に対して送信指示する場合に、その送信側においては高い自由度で容易に当該通信端末装置を制御できるようにすることである。
【課題を解決するための手段】
【０００５】
請求項１記載の発明は、任意の条件で任意の内容を制御すべきことが外部から送信指示された場合に、この外部指示情報を構成する制御内容とその実行の契機となる実行条件とを受信する受信手段と、この受信手段によって受信された制御内容と実行条件とを対応付けて記憶する記憶手段と、この記憶手段に記憶されている実行条件に該当する使用状況を検出する検出手段と、この検出手段による検出結果に基づいて、前記記憶手段に記憶されている実行条件を満すか否かを判別する判別手段と、この判別手段による判別結果に基づいて、前記記憶手段に記憶されている制御内容を実行する実行手段とを具備したことを特徴とする。
更に、コンピュータに対して、上述した請求項１記載の発明に示した主要機能を実現させるためのプログラムを提供する（請求項１７記載の発明）。
【０００６】
なお、上述した請求項１記載の発明は次のようなものであってもよい。
前記受信手段によって制御内容と実行条件とを受信した際には、受信した旨のユーザへの報知を抑制する（請求項２記載の発明）。
【０００７】
前記実行条件は、通信端末装置の位置に関する条件であって、前記検出手段は、通信端末装置の位置を検出し、前記判別手段は、前記検出手段によって検出された位置に基づいて、実行条件を満すか否かを判別する（請求項３記載の発明）。
【０００８】
前記実行条件は、通信端末装置の動作電源の状況に関する条件であって、前記検出手段は、通信端末装置の動作電源の状況を検出し、前記判別手段は、前記検出手段によって検出された動作電源の状況に基づいて、実行条件を満すか否かを判別する（請求項４記載の発明）。
【０００９】
前記実行条件は、通信端末装置の筐体の配置状況であるスタイルに関する条件であって、前記検出手段は、通信端末装置のスタイルを検出し、前記判別手段は、前記検出手段によって検出されたスタイルに基づいて、実行条件を満すか否かを判別する（請求項５記載の発明）。
【００１０】
前記実行条件は、通信端末装置に搭載されている機能の動作に関する条件であって、前記検出手段は、通信端末装置に搭載されている機能の動作を検出し、前記判別手段は、前記検出手段によって検出された機能の動作に基づいて、実行条件を満すか否かを判別する（請求項６記載の発明）。
【００１１】
請求項６記載の発明は次のようなものであってもよい。
前記機能の動作に関する条件は、所定機能による所定場所の検出である（請求項７記載の発明）。前記機能の動作に関する条件は、所定機能の起動である（請求項８記載の発明）。前記機能の動作に関する条件は、所定機能における使用量である（請求項９記載の発明）。前記機能の動作に関する条件は、所定機能の使用時刻あるいは使用場所である（請求項１０記載の発明）。前記機能の動作に関する条件は、所定機能の通信開始である（請求項１１記載の発明）。前記機能の動作に関する条件は、所定機能による通信相手の指定である（請求項１２記載の発明）。
【００１２】
前記制御内容は、通信端末装置に記憶されているデータ、あるいは前記受信手段によって制御内容と実行条件と共に受信したデータを出力させることを指示する（請求項１３記載の発明）。
【００１３】
前記制御内容は、通信端末装置に記憶されているデータ、あるいは前記受信手段によって制御内容と実行条件と共に受信したデータを外部に送信させることを指示する（請求項１４記載の発明）。
【００１４】
前記制御内容は、通信端末装置に搭載されている機能、あるいは前記受信手段によって制御内容と実行条件と共に受信した機能を起動させることを指示する（請求項１５記載の発明）。
【００１５】
前記制御内容は、通信端末装置に搭載されている機能、あるいは前記受信手段によって制御内容と実行条件と共に受信した機能を外部に送信させることを指示する（請求項１６記載の発明）。
【発明の効果】
【００１６】
この発明によれば、ある条件である内容の制御を行うべきことを通信端末装置に対して送信指示する場合に、その送信側においては高い自由度で容易に当該通信端末装置を制御することができ、利便性を大幅に向上させることが可能となる。
【発明を実施するための最良の形態】
【００１７】
以下、図１〜図２８を参照して本発明の実施例を説明する。
図１は、通信端末装置として適用した携帯電話装置が利用可能な通信ネットワークシステムを示したブロック図である。
携帯電話装置１は、最寄りの基地局２Ａ、交換機２Ｂから移動体通信網２に接続されると、移動体通信網２を介して他の携帯電話装置１との間で通話可能状態となり、また、移動体通信網２を介してメールサーバ３に接続されると、メールサーバ３との間で電子メールの送受信が可能となる。また、携帯電話装置１は、移動体通信網２を介して他の携帯電話装置１との間でメールアドレス、ファイル、スケジュールなどのデータをデータ通信によって送受信可能となっている。また、携帯電話装置１は、移動体通信網２を介してインターネット４に接続されると、Ｗｅｂサイトをアクセスして閲覧可能となり、また、インターネット４を介して機能配信サーバ５に接続されると、機能配信サーバ５が配信する機能（新規機能、改版機能など）をダウンロード取得して登録可能となる。
【００１８】
また、この携帯電話装置１は、テレビ局・ラジオ局（放送局）６から送信基地局７を介して発信された地上波デジタル放送を受信して、その放送内容を視聴可能となっている。また、携帯電話装置１は、ＧＰＳ（Global Positioning System）衛星８から受信した信号に基づいて現在の位置情報を取得可能となっている。更に、携帯電話装置１は、他の携帯電話装置１との間でメールアドレス、ファイル、スケジュールなどのデータを赤外線通信（近距離通信）によって送受信可能となっている。また、携帯電話装置１は、駅に設置されている自動改札機９あるいは店舗などに設置されている電子決済機１０との間で非接触ＩＣ通信が可能となっている。
【００１９】
図２は、携帯電話装置１の基本的な構成要素を示したブロック図である。
携帯電話装置１は、例えば、２つの筐体（操作部筐体、表示部筐体）が開閉可能及び回転可能に取り付けられた２軸回転型の携帯電話装置であり、この携帯電話装置１には、通話機能（電話機能）、電子メール機能、インターネット接続機能（Ｗｅｂアクセス機能）、ＧＰＳ通信機能、放送受信機能、赤外線通信機能、電子決済機能、乗車券機能など、各種の通信機能が備えられているほか、各種のデータ管理機能として、アドレス帳機能、スケジュール機能などが備えられている。
【００２０】
中央制御部１１は、ＲＯＭ１２内の各種のプログラムに応じてこの携帯電話装置１の全体動作を制御する中央演算処理装置である。ＲＯＭ１２は、プログラム領域とデータ領域とを有し、このプログラム領域には、後述する図１０〜図２５に示す動作手順に応じて本実施例を実現するためのプログラムが格納されている。ＲＡＭ１３は、ワーク領域を有する内部メモリで、後述する実行条件テーブル記憶部ＥＸ、制御内容テーブル記憶部ＣＴ、外部指示情報記憶部ＲＣ、スタイル情報記憶部ＳＹ、機能記憶部ＦＣ、アドレス帳記憶部ＡＤ、データ記憶部ＤＴ、スケジュール帳記憶部ＳＤ、メール記憶部ＭＬなどを有している。外部記憶媒体１４は、ＳＤカード、ＩＣカードなどによって構成された着脱自在な可搬型メモリで、外部記憶媒体接続部１５を介して携帯電話装置１に接続される。
【００２１】
無線通信部１６は、無線部、ベースバンド部、多重分離部などを備え、例えば、通話機能、電子メール機能、インターネット接続機能、データ通信機能の動作時に、最寄りの基地局２Ａとの間でデータの送受信を行うもので、通話機能の動作時にはベースバンド部の受信側から信号を取り込んで受信ベースバンド信号に復調したのち、音声信号処理部１７を介して送話スピーカＳＰから音声出力させ、また、受話マイクＭＣからの入力音声データを音声信号処理部１７から取り込み、送信ベースバンド信号に符号化したのち、ベースバンド部の送信側に与えてアンテナから発信出力させる。
【００２２】
テレビ放送・ラジオ放送通信部１８は、テレビ放送受信部とラジオ放送受信部とを有し、それらを個別に起動可能なもので、携帯電話などの通信端末装置向けの地上波デジタルテレビ放送及び地上波デジタルラジオ放送と共に、電子番組表（ＥＰＧ）などの番組情報も含めて受信可能となっている。テレビ放送・ラジオ放送通信部１８は、専用アンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。ここで、受信したテレビ映像データ及び文字データは、高精細液晶あるいは有機ＥＬなどを使用した表示部１９から表示され、また、テレビ音声あるいはラジオ音声データは、サウンドスピーカ２０から出力される。
【００２３】
赤外線通信部２１は、例えば、通信距離が１ｍ程度で１対１通信を行うもので、他の携帯電話装置１との間でメールアドレス、ファイルなどのデータを送受信する。非接触ＩＣ通信部２２は、電子決済機能、乗車券機能を構成するもので、自動改札機９あるいは電子決済機１０との間で非接触ＩＣ通信を行うもので、中央制御部１１は、この非接触ＩＣ通信に応じて乗車券機能処理、電子決済機能処理を実行する。ＧＰＳ通信部２３は、ＧＰＳ衛星８からＧＰＳ情報を受信取得するもので、中央制御部１１は、ＧＰＳ通信部２３から受信した信号に基づいて自己の位置情報を算出取得する。
【００２４】
操作部２４は、ダイヤル入力、文字入力、コマンド入力などを行うもので、中央制御部１１は、操作部２４からの入力信号に応じた処理を実行する。ＲＴＣ（リアルタイムクロックモジュール）２５は、時計部を構成するもので、中央制御部１１は、ＲＴＣ２５から現在日時を取得する。スタイル検出部２６は、２軸回転型の装置本体を構成する２つの筐体（表示部筐体、操作部筐体）の位置関係に応じて変化する各スタイル（オープンスタイル、ビュースタイルなど）を検出可能なもので、磁気センサあるいはマイクロスイッチなどによって構成され、スタイル変化に応じてどのスタイルからどのスタイルに変更されたかを検出する。
【００２５】
この実施例において中央制御部１１は、任意の条件で任意の内容を制御すべきことが外部（他の携帯電話装置１１など）から送信指示された場合に、この外部指示情報を構成する制御内容とその実行の契機となる実行条件とを無線通信部１６から受信して外部指示情報記憶部ＲＣに記憶するようにしている。この状態において、中央制御部１１は、この実行条件に該当する現在の使用状況を検出すると共に、この検出結果と実行条件とを比較して当該実行条件を満すか否かを判別し、この判別結果に基づいてその実行条件に対応する制御内容を実行するようにしている。これによって、外部指示情報を送信する送信側においては、ある条件である内容の制御を行うべきことを携帯電話装置１に対して送信指示して当該携帯電話装置１を制御できるようにしている。
【００２６】
例えば、友人を自宅に招くような場合に、その友人が所持している携帯電話装置１に対して、“自宅の近くに来たらその旨を表示させる”という内容を指示するために、実行条件として“自宅の近くの位置情報”、また、制御内容として“自宅の近くである旨の表示”を含む外部指示情報をその友人の携帯電話装置１に送信すると、この外部指示情報を受信した携帯電話装置１は、この制御内容と実行条件とを対応付けて記憶するようにしている。この状態において、携帯電話装置１は、そのＧＰＳ通信部２３から現在の位置情報を取得しながら現在位置が訪問宅近くであるか否かを監視し、訪問宅に近づいた際に、その旨を表示する案内処理を実行するようにしている。
【００２７】
また、通学途中の子供に対して親が連絡するような場合に、親（送信者）は、“最寄り駅の改札を通ったらメール連絡を希望する旨を表示させる”という内容を指示するために、実行条件として“改札に入った”、また、制御内容として“メール連絡を希望する旨の表示”を含む外部指示情報を子供の携帯電話装置１に送信すると、これを受信した子供側の携帯電話装置１では、この制御内容と実行条件とを対応付けて記憶したのち、その非接触ＩＣ通信部２２によって改札通過（入場）が検出されると、その旨を表示する案内処理を実行するようにしている。
【００２８】
その他、実行条件としては、携帯電話装置１の位置に関する条件、改札通過に関する条件に限らず、動作電源の状況に関する条件、筐体の配置状況であるスタイルに関する条件、機能の動作に関する条件などであってもよく、また、制御内容としては、データ表示に限らず、データ送信、機能の起動などであってもよい。これによって例えば、筐体を開いたスタイルへの変更を検出した場合に、送信者の顔画像や音声を出力させ、また、電源オンを検出した場合に、送信者の指示メッセージを表示させることが可能となる。
【００２９】
図３は、実行条件テーブル記憶部ＥＸを説明するための図である。
実行条件テーブル記憶部ＥＸは、ある制御を実行する契機となる実行条件を定義するもので、「条件種別」、「条件内容」、「検出開始フラグ」の各項目を有している。「条件種別（指定コード）」、「条件内容（指定コード）」は、実行条件を指定コードによって種別毎に詳細に定義する項目である。「条件種別」は実行条件の種類を示すもので、例えば、“位置”、“電源”、“スタイル”、“機能”、“連続使用”、“使用量”、“使用環境”、“改札”、“相手”、…に対応してその指定コード“Ａ０１”、“Ａ０２”、〜“Ａ０９”…が記憶されている。
【００３０】
“位置（指定コードＡ０１）”に対応する「条件内容」は、“どこ（位置情報で指定）”に“入った（指定コードＢ１１）”か、“どこ”を“出た（指定コードＢ１２）”か、…を示す。また、“電源（指定コードＡ０２）”に対応する「条件内容」は、電源を“オンした（指定コードＢ２１）”か、“オフした（指定コードＢ２２）”か、…を示す。また、“スタイル（指定コードＡ０３）”に対応する「条件内容」は、“どのスタイル（スタイル識別情報で指定）”に“なった（指定コードＢ３１）”か、“どのスタイル”を“やめた（指定コード０２  ３２）”、か…を示す。なお、スタイル識別情報はスタイル名、スタイルＩＤなど、スタイルを識別できる情報であれば任意である。
【００３１】
“機能（指定コードＡ０４）”に対応する「条件内容」は、“どの機能（機能識別情報で指定）”を“起動した（指定コードＢ４１）”か、“どの機能”を“終了した（指定コードＢ４２）”か、…を示す。なお、機能識別情報は機能名、機能ＩＤなど、機能を識別できる情報であれば任意である。また、“連続使用（指定コードＡ０５）” に対応する「条件内容」は、“どの機能（機能識別情報で指定）”を“何分（時間で指定）”、“連続使用した（指定コードＢ５１）”か、…を示す。また、“使用量（指定コードＡ０６）”に対応する「条件内容」は、“どの機能（機能識別情報で指定）”を“何回（回数で指定）”、“使用した（指定コードＢ６１）”か、“どの機能”を“いくら（金額で指定）”、“使用した”か、…を示す。
【００３２】
“使用環境（指定コードＡ０７）”に対応する「条件内容」は、“どの機能（機能識別情報で指定）”を“何時に（時刻で指定）”、“使用した（指定コードＢ７１）”か、“どの機能”を“どこで（位置情報で指定）”、“使用した”か、…を示す。また、“改札（指定コードＡ０８）” に対応する「条件内容」は、“どの駅（駅識別情報で指定）”の“改札に入った（指定コードＢ８１）”、“どの駅”の“改札を出た（指定コードＢ８２）”か、…を示す。なお、駅識別情報は、駅名、駅位置情報、駅ＩＤなど、駅を識別できる情報であれば任意である。また、“相手（指定コードＡ０９）”に対応する「条件内容」は、“誰（相手識別情報で指定）”を“指定した（指定コードＢ９１）”か、“誰”に“発信した（指定コードＢ９２）”か、…を示す。なお、相手識別情報は名前、電話番号、メールアドレス、アドレス帳ＩＤなど、相手を識別できる情報であれば任意である。「検出開始フラグ」は、対応する条件種別の外部指示情報を受信記憶されている状態を示すもので、中央制御部１１は、外部指示情報を構成する制御内容と実行条件とを受信記憶した際に、この実行条件に含まれている条件種別を判別し、この条件種別に対応する「検出開始フラグ」に“１”をセットするようにしている。
【００３３】
図４は、制御内容テーブル記憶部ＣＴを説明するための図である。
制御内容テーブル記憶部ＣＴは、制御内容を定義するもので、「制御種別（指定コード）」、「制御内容（指定コード）」の各項目を有している。この「制御種別」、「制御内容」は、制御内容を指定コードによって種別毎に詳細に定義する項目で、「制御種別」には、例えば、“出力”、“送信”、“起動”、…に対応してその指定コード“Ｃ０１”、“Ｃ０２”、“Ｃ０３”…が記憶されている。この“出力”に対応する「制御内容」は、“記憶されているデータ（指定コードＤ１１）”のうち“どのデータ（データ識別情報で指定）”を出力させるのか、上述の外部指示情報内に含まれているデータ、つまり、“受信したデータ（指定コードＤ１２）”を出力させるかを制御する。
【００３４】
なお、“記憶されているデータ”は、ＲＯＭ１２、ＲＡＭ１３、データ記憶部ＤＴなどに予め記憶されているデータであり、そのデータ識別情報はそのデータ名など、データを識別できる情報であれば任意である（以下、同様）。また、“出力”に対応する「制御内容」は、携帯電話装置１に備えられている出力デバイス（表示部１９、サウンドスピーカ２０、振動モータなど）への出力のほか、図示しないが、携帯電話装置１にケーブルなどを介して接続されている外部機器への出力、例えば、イヤホンなどの外部スピーカ、テレビなどの外部モニタ、ＰＣ（パーソナルコンピュータ）などへの出力であってもよい。
【００３５】
“送信”に対応する「制御内容」は、“記憶されているデータ（指定コードＤ２１）”のうち“どのデータ（データ識別情報で指定）”を“どこへ（送信先識別情報で指定）”送信させるか、“受信したデータ（指定コードＤ２２）”を“どこへ（送信先識別情報で指定）”へ送信させるのかを制御する。また、“送信”に対応する「制御内容」は、“記憶されている機能（指定コードＤ２３）”のうち“どの機能（機能識別情報で指定）”を“どこへ（送信先識別情報で指定）” へ送信させるのか、“受信した機能（指定コードＤ２４）”を“どこへ（送信先識別情報で指定）”へ送信させるのかを制御する。なお、送信先識別情報は電話番号、メールアドレス、ＩＰアドレスなど、送信先を識別できる情報であれば任意であり、この送信先で示される他の携帯電話装置１、あるいはＰＣ（パーソナルコンピュータ）などを宛先としてデータあるいは機能を送信するようにしている。なお、送信先は自己のＰＣなどであってもよい。
【００３６】
“起動”に対応する「制御内容」は、“記憶されている機能（指定コードＤ３１）”のうち“どの機能（機能識別情報で指定）”を起動させるのか、“受信した機能（指定コードＤ３２）”を起動させるのかを制御する。なお、“記憶されている機能”は、ＲＯＭ１２、ＲＡＭ１３、機能記憶部ＦＣなどに予め記憶されている機能であり、その機能識別情報は、機能名あるいは機能ＩＤなど、機能を識別できる情報であれば任意である（以下、同様）。
【００３７】
図５は、外部指示情報記憶部ＲＣを説明するための図である。
外部指示情報記憶部ＲＣは、任意の条件で任意の内容を制御すべきことが外部（他の携帯電話装置１１など）から送信指示された場合に、受信した外部指示情報を記憶するもので、「外部指示情報ＩＤ」、「内容」、「判別フラグ」の各項目を有し、更に「内容」は「実行条件」、「制御内容」、「データ／機能」の各項目を有している。「実行条件」は上述した条件種別（位置、電源、スタイル、…相手）と条件内容を示す指定コードを含み、また、「制御内容」は制御種別（出力、送信、起動など）とその制御内容を示す指定コードを含むもので、例えば、位置情報が含まれている場合の「実行条件」は、“条件種別Ａ０１、位置情報、条件内容Ｂ１１”となる。また、受信したデータを出力する場合の「制御内容」は、“条件種別ＣＯ１、制御内容Ｄ１２”となる。「データ／機能」はデータの実データあるいは機能の実プログラムを示している。「判別フラグ」は対応する「実行条件」を満す場合に“１”となるフラグ（実行条件が成立したことを示すフラグ）である。
【００３８】
図６は、スタイル情報記憶部ＳＹを説明するための図である。
スタイル情報記憶部ＳＹは、２軸回転型の装置本体を構成する２つの筐体（表示部筐体、操作部筐体）の位置関係に応じて変化する各スタイル、つまり、携帯電話装置１の筐体の配置状況である各スタイルとして、クローズスタイル、オープンスタイル、ビュースタイルなどに対応してそのスタイルＩＤを記憶するもので、「スタイルＩＤ」、「スタイル名」の各項目を有している。なお、上述したスタイル識別情報は、このスタイル情報記憶部ＳＹ内の「スタイルＩＤ」あるいは「スタイル名」によって定義される。
【００３９】
図７は、アドレス帳記憶部ＡＤを説明するための図である。
アドレス帳記憶部ＡＤは、通信相手に対応してその相手に関する情報を記憶するもので、「アドレス帳ＩＤ」、「名前」、「電話番号」、「メールアドレス」、…の各項目を有している。なお、上述した相手識別情報は、このアドレス帳記憶部ＡＤ内の「アドレス帳ＩＤ」、「名前」、「電話番号」、「メールアドレス」、…のいずれかによって定義される。
【００４０】
図８は、機能記憶部ＦＣを説明するための図である。
機能記憶部ＦＣは、機能別にそのプログラムを記憶するもので、「機能ＩＤ」、「機能名」、「実プログラム」、…の各項目を有している。中央制御部１１は、機能配信サーバ５から配信された機能をダウンロード取得して機能記憶部ＦＣに順次登録するようにしている。なお、予め機能プログラムがＲＯＭ１２に記憶されている場合には、機能記憶部ＦＣの「実プログラム」への登録は省略される。また、上述した機能識別情報は、この機能記憶部ＦＣ内の「機能ＩＤ」、「機能名」、…のいずれかによって定義される。
【００４１】
図９は、データ記憶部ＤＴを説明するための図である。
データ記憶部ＤＴは、データの種類別にその実データ（例えば、静止画、動画、イラスト、メッセージなど）を記憶するもので、「データＩＤ」、「データ名」、「実データ」、…の各項目を有している。中央制御部１１は、インターネット４を介してダウンロード取得したデータあるいは外部記憶媒体１４から読み取ったデータをデータ記憶部ＤＴに順次登録するようにしている。なお、上述したデータ識別情報は、データ記憶部ＤＴ内の「データＩＤ」、「データ名」、…のいずれかによって定義される。
【００４２】
次に、この実施例における携帯電話装置１の動作概念を図１０〜図２５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００４３】
図１０及び図１１は、電源投入（電源オン）に伴って実行開始される携帯電話装置の全体動作を示したフローチャートである。先ず、中央制御部１１は、電源を投入する電源オン操作が行われると（ステップＡ１でＹＥＳ）、無線通信部１６を作動させて現在位置を登録する待受処理を行うと共に、所定の待受画像を読み出して表示させながら電話／メールの待受状態となる（ステップＡ２）。そして、制御処理Ａ（電源）に移る（ステップＡ３）。
【００４４】
図１２は、電源操作に応じて実行開始される制御処理Ａ（電源）を示したフローチャートである。先ず、中央制御部１１は、実行条件テーブル記憶部ＥＸをアクセスして「条件種別」が“電源”の「検出開始フラグ」を読み出し（ステップＢ１）、フラグ＝１であるか、言い換えれば、電源状況を実行条件とする外部指示情報が受信記憶されているかを調べる（ステップＢ２）。いま、「検出開始フラグ」が“０”で、現在の電源状況を実行条件とする外部指示情報が受信記憶されていなければ、図１０、図１１に示す全体フローに戻るが、「検出開始フラグ」が“１”であれば（ステップＢ２でＹＥＳ）、電源のオン／オフ状態を現在の使用状況として検出すると共に（ステップＢ３）、「条件種別」が“電源”の外部指示情報からその実行条件を読み出し（ステップＢ４）、検出された現在の電源状況は当該実行条件を満すか否かを調べる（ステップＢ５）。
【００４５】
外部指示情報内の実行条件が“Ａ０２、Ｂ２１（電源をオンした）”の場合に、電源オフ操作が行われたものとすると、現在の電源状況は外部指示情報内の実行条件を満さないので（ステップＢ５でＮＯ）、上述の全体フローに戻るが、電源オン操作が行われたときには実行条件を満すので（ステップＢ５でＹＥＳ）、この実行条件を含む外部指示情報内の「判別フラグ」に、条件成立を示す“１”を記憶したのち（ステップＢ６）、その実行条件対応の制御内容を実行する制御内容実行処理に移る（ステップＢ７）。
【００４６】
図１３は、制御内容実行処理を詳述するためのフローチャートであり、上述の制御処理Ａ（電源）のほか、後述する各制御処理Ｂ〜Ｈにおいて、条件成立に応じて実行開始される。先ず、中央制御部１１は、「判別フラグ」が“１”の外部指示情報から「制御内容」を読み出して（ステップＣ１）、その制御種別を判別し（ステップＣ２、Ｃ３）、それが“Ｃ０１（出力）”であれば（ステップＣ２でＹＥＳ）、この「制御内容」で指定されているデータを出力させる（ステップＣ４）。すなわち、出力対象として“記憶されているデータ（指定コードＤ１１）”が含まれているか、“受信したデータ（指定コードＤ１２）”が含まれているかを判別し、“指定コードＤ１１”が含まれていれば、“どのデータ”に基づいてデータ記憶部ＤＴなどを検索することによって該当データを出力対象として読み出し、また、“指定コードＤ１２”が含まれていれば、外部指示情報内のデータを出力対象として読み出したのち、表示部１９、サウンドスピーカ２０から当該データを出力させる。
【００４７】
制御種別が“Ｃ０２（送信）”であれば（ステップＣ３でＹＥＳ）、この「制御内容」を参照し、データ送信が指定されているか機能送信が指定されているかを調べ（ステップＣ５）、データ送信が指定されていれば、送信対象のデータをその指定相手先に対して送信する（ステップＣ６）。すなわち、出力対象として“記憶されているデータ（指定コードＤ２１）”が含まれているか、“受信したデータ（指定コードＤ２２）”が含まれているかを判別し、“指定コードＤ２１”が含まれていれば、“どのデータ”に基づいてデータ記憶部ＤＴなどを検索することによって該当データを出力対象として読み出し、また、“指定コードＤ２２”が含まれていれば、外部指示情報内のデータを出力対象として読み出し、更に、この「制御内容」から送信先識別情報を読み出したのち、この送信先識別情報で示される電話番号、メールアドレス、ＩＰアドレス宛に当該データを送信させる。
【００４８】
また、機能送信が指定されていれば（ステップＣ５でＮＯ）、送信対象の機能をその指定相手先に対して送信する（ステップＣ７）。すなわち、出力対象として“記憶されている機能（指定コードＤ２３）”が含まれているか、“受信した機能（指定コードＤ２４）”が含まれているかを判別し、“指定コードＤ２３”が含まれていれば、“どの機能”に基づいて機能記憶部ＦＣなどを検索することによって該当機能を出力対象として読み出し、また、“指定コードＤ２４”が含まれていれば、外部指示情報内の機能を出力対象として読み出し、更に、この「制御内容」から送信先識別情報を読み出したのち、この送信先識別情報で示される電話番号、メールアドレス、ＩＰアドレス宛に当該機能を送信させる。
【００４９】
制御種別が“起動（０３）”であれば（ステップＣ３でＮＯ）、この「制御内容」で指定されている機能を起動させる（ステップＣ８）。すなわち、起動対象として“記憶されている機能（指定コードＤ３１）”が含まれているか、“受信した機能（指定コードＤ３２）”が含まれているかを判別する。ここで、“指定コードＤ３１”が含まれていれば、“どの機能”に基づいて機能記憶部ＦＣなどを検索することによって該当機能を起動対象として指定し、また、“受信した機能”が指定されていれば、外部指示情報内の機能を起動対象として指定したのち、当該指定機能を起動させる。
【００５０】
このように中央制御部１１は、電源オン操作時に外部指示情報を参照し、例えば、その送信者が指示したメロディ音などを発生させたり、送信者の顔写真あるいは緊急メッセージなどを表示させたり、送信者が指示した特別な機能を起動させたりするなど、動作オンに応じた制御を行う。その後、当該外部指示情報内の「判別フラグ」に“０”を記憶してそれをリセットしたのち（ステップＣ９）、上述の全体フローに戻る。
【００５１】
このような制御処理Ａ（電源）が終わると（図１０ステップＡ３）、中央制御部１１は、機能記憶部ＦＣ、データ記憶部ＤＴへの登録を指示する登録操作の有無をチェックする（図１０のステップＡ４）。いま、登録操作が行われた場合には、機能記憶部ＦＣ、データ記憶部ＤＴへの登録処理に移る（ステップＡ５）。すなわち、中央制御部１１は、機能配信サーバ５から配信された機能をダウンロード取得して機能記憶部ＦＣに順次登録したり、インターネット４を介してダウンロード取得したデータあるいは外部記憶媒体１４から読み取ったデータをデータ記憶部ＤＴに順次登録したりする処理を行う。
【００５２】
一方、待受状態において他の携帯電話装置１などから外部指示情報を受信した場合には（図１０のステップＡ６でＹＥＳ）、この外部指示情報を取り込んで外部指示情報記憶部ＲＣに追加記憶させたのち（ステップＡ７）、この外部指示情報の「実行条件」から条件種別を読み出し（ステップＡ８）、この条件種別に基づいて実行条件テーブル記憶部ＥＸを検索し、該当種別に対応する「検出開始フラグ」に“１”を記憶する（ステップＡ９）。この場合、制御内容と実行条件とを受信した際に、その旨の受信報知を行わずに、上述の各処理（ステップＡ７〜Ａ９）を行うようにしている。なお、外部指示情報の受信は、無線通信部１６を介して受信する場合に限らず、赤外線通信部２１あるいは非接触ＩＣ通信部２２を介して受信するようにしてもよい。つまり、外部指示情報を送受信する通信手段は任意である。
【００５３】
また、待受状態において、スタイル検出部２６によってスタイルの変更（スタイルの変化）が検出されると（ステップＡ１０でＹＥＳ）、制御処理Ｂ（スタイル）に移る（ステップＡ１１）。
図１４は、スタイル変更検出に応じて実行開始される制御処理Ｂ（スタイル）を示したフローチャートである。先ず、中央制御部１１は、実行条件テーブル記憶部ＥＸをアクセスして「条件種別」が“スタイル”の「検出開始フラグ」を読み出し（ステップＤ１）、フラグ＝１であるか、言い換えれば、スタイルを実行条件とする外部指示情報が受信記憶されているかを調べる（ステップＤ２）。
【００５４】
いま、検出開始フラグが“０”で、スタイルを実行条件とする外部指示情報が受信記憶されていなければ、上述の全体フローに戻るが、検出開始フラグが“１”であれば（ステップＤ２でＹＥＳ）、変更前のスタイルと変更後のスタイルを現在の使用状況として検出する（ステップＤ３）。すなわち、スタイル検出部２６によってスタイル変化が検出されると、どのスタイルからどのスタイルに変更されたかを現在の使用状況として検出する。そして、「条件種別」が“スタイル”の外部指示情報からその実行条件を読み出し（ステップＤ４）、検出されたスタイルは当該実行条件を満すかを調べる（ステップＤ５）。
【００５５】
外部指示情報内の実行条件が“Ａ０３、スタイル識別情報、Ｂ３１（○○スタイルになった）”の場合には、変更後のスタイルと実行条件のスタイルとを比較し、変更後のスタイルが実行条件のスタイルでなければ、実行条件を満さないので（ステップＤ５でＮＯ）、上述の全体フローに戻るが、実行条件のスタイルに変更された場合には実行条件を満すので（ステップＤ５でＹＥＳ）、この実行条件を含む外部指示情報内の「判別フラグ」に、条件成立を示す“１”を記憶する（ステップＤ６）。一方、外部指示情報内の実行条件が“Ａ０３、スタイル識別情報、Ｂ３２（どのスタイルをやめた）”の場合には、変更前のスタイルと実行条件のスタイルとを比較した結果、変更前のスタイルが実行条件のスタイルであれば、つまり、実行条件のスタイルをやめた場合（解除した場合）には、実行条件を満すので（ステップＤ５でＹＥＳ）、その「判別フラグ」に“１”を記憶する（ステップＤ６）。
【００５６】
そして、上述の図１３の制御内容実行処理に移る（ステップＤ７）。このように中央制御部１１は、スタイル変更検出時に外部指示情報を参照し、例えば、その送信者が指示したメロディ音などを発生させたり、送信者の顔写真あるいはメッセージなどを表示させたり、送信者が指示した特別な機能を起動されたりするなど、スタイル変更に応じた制御を行う。
【００５７】
待受状態において位置検出タイミング（例えば、１０秒間隔）に達した場合には（図１０のステップＡ１２でＹＥＳ）、制御処理Ｃ（位置）の実行に移る（ステップＡ１３）。
図１５は、位置検出タイミングに応じて実行開始される制御処理Ｃ（位置）を示したフローチャートである。先ず、中央制御部１１は、実行条件テーブル記憶部ＥＸをアクセスして「条件種別」が“位置”の「検出開始フラグ」を読み出し（ステップＥ１）、フラグ＝１であるか（位置を実行条件とする外部指示情報が受信記憶されているか）を調べる（ステップＥ２）。いま、検出開始フラグが“０”で、位置を実行条件とする外部指示情報が受信記憶されていなければ、上述の全体フローに戻るが、検出開始フラグが“１”であれば（ステップＥ２でＹＥＳ）、ＧＰＳ通信部２３から現在位置を現在の使用状況として取得すると共に（ステップＥ３）この位置情報を位置履歴としてＲＡＭ１３内に追加記憶しておく（ステップＥ４）。そして、「条件種別」が“位置”の外部指示情報からその実行条件を読み出し（ステップＥ５）、検出された位置は当該実行条件を満すかを調べる（ステップＥ６）。
【００５８】
外部指示情報内の実行条件が“Ａ０１、位置情報、Ｂ１１（○○に入った）”の場合には、検出した現在位置及び記憶されている履歴位置（前回位置）と、実行条件の位置情報とを比較し、現在位置が実行条件の位置から外れていれば、実行条件を満さないので（ステップＥ６でＮＯ）、上述の全体フローに戻る。また、前回位置が実行条件の位置から外れている状態において、現在位置と実行条件の位置とが一致したり、現在位置が実行条件の位置の近傍となったりした場合には、実行条件を満すので（ステップＥ６でＹＥＳ）、この実行条件を含む外部指示情報の「判別フラグ」に、条件成立を示す“１”を記憶する（ステップＥ７）。一方、外部指示情報内の実行条件が“Ａ０１、位置情報、Ｂ１２（どこから出た）”の場合に、前回位置が実行条件の位置の状態で現在位置が実行条件の位置から外れた場合には、実行条件を満すので（ステップＥ６でＹＥＳ）、その「判別フラグ」に“１”を記憶する（ステップＥ７）。
【００５９】
そして、上述の図１３の制御内容実行処理に移る（ステップＥ８）。このように中央制御部１１は、外部指示情報を参照し、例えば、その送信者が指示した位置（送信者の自宅近く）に訪問者が来たときに家の近くである旨のメッセージを出力させたり、歩行者用のナビゲーション機能を起動して家までの詳細経路を案内させたりするなど、位置変化に応じた制御を行う。
【００６０】
待受状態においてアドレス帳起動操作が行われた場合には（図１０のステップＡ１４でＹＥＳ）、アドレス帳処理に移る（ステップＡ１５）。
図１６は、アドレス帳起動操作に応じて実行開始されるアドレス帳処理（図１０のステップＡ１５）を詳述するためのフローチャートである。先ず、中央制御部１１は、アドレス帳機能のプログラムを起動してアドレス帳記憶部ＡＤの内容をリスト表示させたのち（ステップＦ１）、ＲＡＭ１３に記憶されているアドレス帳の使用回数に“１”を加算してそれを更新するほか（ステップＦ２）、アドレス帳の連続使用時間を計測するタイマを起動させる（ステップＦ３）。この状態において、制御処理Ｄ（機能）に移る（ステップＦ４）。
【００６１】
図１７は、機能の動作オン／オフに応じて実行開始される制御処理Ｄ（機能）を示したフローチャートである。先ず、中央制御部１１は、実行条件テーブル記憶部ＥＸをアクセスして「条件種別」が“機能”の「検出開始フラグ」を読み出し（ステップＧ１）、フラグ＝１であるか（機能を実行条件とする外部指示情報が受信記憶されているか）を調べ（ステップＧ２）、検出開始フラグが“０”で、機能を実行条件とする外部指示情報が受信記憶されていなければ、上述の全体フローに戻る。また、検出開始フラグが“１”であれば（ステップＧ２でＹＥＳ）、今回の操作で起動した、あるいは終了した機能を現在の使用状況として検出すると共に（ステップＧ３）、「条件種別」が“機能”の外部指示情報からその実行条件を読み出し（ステップＧ４）、検出された機能は当該実行条件を満すかを調べる（ステップＧ５）。
【００６２】
いま、外部指示情報内の実行条件が“Ａ０４、機能識別情報、Ｂ４２（○○機能を終了した）”の場合に、アドレス帳起動操作が行われたときには、外部指示情報内の実行条件を満さないので（ステップＧ５でＮＯ）、上述の全体フローに戻る。また、外部指示情報内の実行条件が“Ａ０４、機能識別情報、Ｂ４１（機能を起動した）”の場合に、機能識別情報がアドレス帳を示し、アドレス帳起動操作が行われたときには、実行条件を満すので（ステップＧ５でＹＥＳ）、この実行条件を含む外部指示情報内の「判別フラグ」に、条件成立を示す“１”を記憶したのち（ステップＧ６）、図１３の制御内容実行処理に移る（ステップＧ７）。このように中央制御部１１は、アドレス帳起動時に外部指示情報を参照し、例えば、その送信者が指示したメッセージ（アドレス帳登録を促すメッセージ、連絡を促すメッセージ）を出力させるなど、アドレス帳機能の起動に応じた制御を行う。そして、上述の制御処理Ｄ（機能）が終わると（図１６のステップＦ４）、制御処理Ｅ（使用量／使用環境）に移る（ステップＦ５）。
【００６３】
図１８は、機能の動作中に実行開始される制御処理Ｅ（使用量／使用環境）を示したフローチャートである。先ず、中央制御部１１は、実行条件テーブル記憶部ＥＸをアクセスして「条件種別」が“使用量あるいは使用環境”の「検出開始フラグ」を読み出し（ステップＨ１）、フラグ＝１であるか（使用量あるいは使用環境を実行条件とする外部指示情報が受信記憶されているか）を調べ（ステップＨ２）、検出開始フラグが“０”で、使用量あるいは使用環境を実行条件とする外部指示情報が受信記憶されていなければ、上述の全体フローに戻る。
【００６４】
また、検出開始フラグが“１”であれば（ステップＨ２でＹＥＳ）、「条件種別」が“使用量あるいは使用環境”の外部指示情報からその実行条件を読み出し（ステップＨ３）、その実行条件に該当する使用量（使用回数、使用金額）あるいは使用環境（使用時刻、使用場所）を現在の使用状況として検出する（ステップＨ４）。つまり、外部指示情報の実行条件に使用量が含まれている場合には、アドレス帳起動時に上述のステップＦ２で更新された使用回数を使用量として読み出し、また、外部指示情報の実行条件に使用環境が含まれている場合には、ＧＰＳ通信部２３から現在位置あるいはＲＴＣ２５から現在日時を使用環境として取得する。
【００６５】
このようにして検出した使用量あるいは使用環境と外部指示情報の実行条件とを比較し、使用量あるいは使用環境は実行条件を満すかを調べる（ステップＨ５）。いま、外部指示情報内の実行条件が“Ａ０６、機能識別情報、Ｂ６２（機能を何回使用した）”の場合に、アドレス帳の使用回数がその指定回数未満であれば、外部指示情報内の実行条件を満さないので（ステップＨ５でＮＯ）、上述の全体フローに戻るが、機能識別情報がアドレス帳を示し、使用回数がその指定回数以上であれば、実行条件を満すので（ステップＨ５でＹＥＳ）、この実行条件を含む外部指示情報内の「判別フラグ」に、条件成立を示す“１”を記憶したのち（ステップＨ６）、図１３の制御内容実行処理に移る（ステップＨ７）。このように中央制御部１１は、アドレス帳の動作中に外部指示情報を参照し、例えば、その送信者が指示したメッセージなどをアドレス帳の使用回数／使用場所／使用時刻に応じて出力させるなど、使用量／使用環境に応じた制御を行う。
【００６６】
次に、図１６のフローにおいて、アドレス帳のリスト画面から任意の相手を選択するために、データ指定操作が行われた場合には（ステップＦ６でＹＥＳ）、その相手のアドレス帳データを指定する（ステップＦ７）。そして、この指定相手を呼び出す発信操作が行われると（ステップＦ８）、後述する制御処理Ｇ（相手）を実行したのち（ステップＦ９）、当該相手の電話番号宛に発信したのち（ステップＦ１０）、その相手との回線接続に応じて通話可能状態として通信処理を行う（ステップＦ１１）。なお、発信操作を行わず、単に相手を選択指定するだけの場合でも通信制御処理Ｇ（相手）を行うようにしてもよい。また、データ登録操作が行われると（ステップＦ１２でＹＥＳ）、新規なアドレス帳データを追加登録したり、登録データを変更したりするアドレス帳登録処理に移る（ステップＦ１３）。
【００６７】
図１９は、通信相手の指定に応じて実行開始される制御処理Ｇ（相手）を示したフローチャートである。先ず、中央制御部１１は、実行条件テーブル記憶部ＥＸをアクセスして「条件種別」が“相手”の「検出開始フラグ」を読み出し（ステップＫ１）、フラグ＝１であるか（相手を実行条件とする外部指示情報が受信記憶されているか）を調べ（ステップＫ２）、検出開始フラグが“０”で、相手を実行条件とする外部指示情報が受信記憶されていなければ、上述の全体フローに戻る。また、検出開始フラグが“１”であれば（ステップＫ２でＹＥＳ）、現在の指定状況（相手の指定操作、発信操作の有無）を現在の使用状況として検出すると共に（ステップＫ３）、「条件種別」が“相手”の外部指示情報からその実行条件を読み出し（ステップＫ４）、検出した指定状況と外部指示情報の実行条件とを比較し、指定状況は実行条件を満すかを調べる（ステップＫ５）。
【００６８】
いま、外部指示情報内の実行条件が“Ａ０９、相手識別情報、Ｂ９２（○○に発信したか）”の場合に、その相手を指定する操作だけであれば、外部指示情報内の実行条件を満さないので（ステップＫ５でＮＯ）、上述の全体フローに戻るが、相手の指定操作と共に発信操作が行われた場合には、実行条件を満すので（ステップＫ５でＹＥＳ）、この実行条件を含む外部指示情報内の「判別フラグ」に、条件成立を示す“１”を記憶したのち（ステップＫ６）、図１３の制御内容実行処理に移る（ステップＫ７）。このように中央制御部１１は、相手の指定操作時に外部指示情報を参照し、例えば、その送信者が指示したメッセージ、その相手の顔画像などを当該相手への発信時に出力させるなど、相手に応じた制御を行う。図２６は、待合せ相手に電話をかけようとしたときに、その待合せ場所を示す地図を表示させた場合の地図画面を例示した図である。
【００６９】
また、図１６のフローにおいて、ステップＦ３で起動した連続使用時間タイマの繰り上がり（例えば、１分毎の桁上げ）を検出すると（ステップＦ１４でＹＥＳ）、後述する制御処理Ｆ（連続使用）に移る（ステップＦ１５）。なお、桁上げは１分に限らず、例えば、１秒、３０秒など、その時間間隔は任意であってもよい。また、アドレス帳処理の終了を指示する終了操作が行われると（ステップＦ１６でＹＥＳ）、上述した図１７の制御処理Ｄ（機能）に移る（ステップＦ１５）。この場合、外部指示情報内の実行条件が“Ａ０４、機能識別情報、Ｂ４２（○○機能を終了した）”の場合に、機能識別情報がアドレス帳を示し、アドレス帳終了操作が行われたときには、外部指示情報内の実行条件を満すと判断してその「判別フラグ」を“１”とする。なお、その他の操作が行われた場合には（ステップＦ１８でＹＥＳ）、操作に対応する処理として、例えば、アドレス帳データの検索、削除などの処理を行う（ステップＦ１９）。
【００７０】
図２０は、連続使用の実行タイミングが検出される毎に実行開始される制御処理Ｆ（連続使用）を示したフローチャートである。先ず、中央制御部１１は、実行条件テーブル記憶部ＥＸをアクセスして「条件種別」が“連続使用”の「検出開始フラグ」を読み出し（ステップＬ１）、フラグ＝１であるか（連続使用を実行条件とする外部指示情報が受信記憶されているか）を調べ（ステップＬ２）、検出開始フラグが“０”で、連続使用を実行条件とする外部指示情報が受信記憶されていなければ、上述の全体フローに戻る。また、検出開始フラグが“１”であれば（ステップＬ２でＹＥＳ）、アドレス帳の連続使用時間を現在の使用状況として検出する（ステップＬ３）。すなわち、図１６のステップＦ２で起動したタイマ時間を連続使用時間として読み出す。そして、「条件種別」が“連続使用”の外部指示情報から実行条件を読み出し（ステップＬ４）、タイマ時間と外部指示情報の実行条件とを比較し、タイマ時間は実行条件を満すかを調べる（ステップＬ５）。
【００７１】
いま、外部指示情報内の実行条件が“Ａ０５、機能識別情報、Ｂ５１（○○機能を何分連続使用した）”の場合に、アドレス帳の連続使用時間がその指定時間未満であれば、外部指示情報内の実行条件を満さないので（ステップＬ５でＮＯ）、上述の全体フローに戻る。また、機能識別情報がアドレス帳を示し、連続使用時間がその指定時間以上であれば、実行条件を満すので（ステップＬ５でＹＥＳ）、この実行条件を含む外部指示情報内の「判別フラグ」に、条件成立を示す“１”を記憶したのち（ステップＬ６）、図１３の制御内容実行処理に移る（ステップＬ７）。このように中央制御部１１は、アドレス帳の動作中に外部指示情報を参照し、例えば、その送信者が指示したメッセージなどをアドレス帳の連続使用時間に応じて出力させるなど、連続使用に応じた制御を行う。
【００７２】
図１０のフローにおいて、スケジュール起動操作が行われると（ステップＡ１６でＹＥＳ）、スケジュール処理に移る（ステップＡ１７）。
図２１は、スケジュール処理（図１０のステップＡ１７）を詳述するためのフローチャートである。先ず、中央制御部１１は、スケジュール帳機能のプログラムを起動してスケジュール帳記憶部ＳＤの内容をリスト表示させたのち（ステップＭ１）、ＲＡＭ１３に記憶されているスケジュール帳の使用回数に“１”を加算してそれを更新するほか（ステップＭ２）、スケジュール帳の連続使用時間を計測するタイマを起動させる（ステップＭ３）。そして、上述した図１７の制御処理Ｄ（機能）に移り（ステップＭ４）、スケジュール帳起動時に、例えば、“この予定を登録しておいて下さいね”というメッセージを出力するなど、スケジュール機能の起動に応じた制御を行う。
【００７３】
更に、上述した図１８の制御処理Ｅ（使用量／使用環境）を実行する（ステップＭ５）。この場合、図１８の制御処理Ｅ（使用量／使用環境）において、外部指示情報の実行条件に使用量が含まれている場合には、スケジュール起動時に上述のステップＦ２で更新された使用回数を使用量として読み出し、また、外部指示情報の実行条件に使用環境が含まれている場合には、ＧＰＳ通信部２３から現在位置あるいはＲＴＣ２５から現在日時を使用環境として取得し、その使用量／使用環境（使用回数／使用場所／使用時刻）に応じた制御を行う。
【００７４】
このようにして起動したスケジュール帳の動作中において、ステップＭ３で起動した連続使用時間タイマの繰り上がりを検出すると（ステップＭ６でＹＥＳ）、上述した図２０の制御処理Ｆ（連続使用）に移り（ステップＭ７）、スケジュール帳の連続使用に応じた制御を行い、また、スケジュール処理の終了を指示する終了操作が行われると（ステップＭ８でＹＥＳ）、上述した図１７の制御処理Ｄ（機能）に移り（ステップＭ９）、スケジュール機能の終了に応じた制御を行う。なお、その他の操作が行われた場合には（ステップＭ１０でＹＥＳ）、操作に対応する処理として、例えば、スケジュール帳データの新規登録、検索、削除などの処理を行う（ステップＭ１１）。
【００７５】
図１０のフローにおいて、テレビ視聴操作（テレビ起動操作）が行われると（ステップＡ１８でＹＥＳ）、テレビ処理に移る（ステップＡ１９）。
図２２は、テレビ処理（図１０のステップＡ１９）を詳述するためのフローチャートである。先ず、中央制御部１１は、テレビ放送・ラジオ放送通信部１８を起動したのち（ステッＮ１）、ＲＡＭ１３に記憶されているテレビ使用回数に“１”を加算してそれを更新するほか（ステップＮ２）、テレビ連続使用時間を計測するタイマを起動させる（ステップＮ３）。そして、上述した図１７の制御処理Ｄ（機能）に移り（ステップＮ４）、テレビ起動時に、例えば、“この番組の視聴を推薦します”というメッセージを出力するなど、テレビ機能の起動に応じた制御を行う。
【００７６】
更に、上述した図１８の制御処理Ｅ（使用量／使用環境）を実行し（ステップＮ５）、例えば、テレビ視聴時刻を検出し、それが深夜であれば、視聴中止を促すメッセージを出力させるなど、テレビ使用量／使用環境に応じた制御を行う。この場合、図１８の制御処理Ｅ（使用量／使用環境）において、外部指示情報の実行条件に使用量が含まれている場合には、テレビ起動時に上述のステップＦ２で更新された使用回数を使用量として読み出し、また、外部指示情報の実行条件に使用環境が含まれている場合には、ＧＰＳ通信部２３から現在位置あるいはＲＴＣ２５から現在日時を使用環境として取得し、その使用量／使用環境（使用回数／使用場所／使用時刻）に応じた制御を行う。
【００７７】
このようにしてテレビ起動を行ったのち、テレビ放送を受信してその放送内容を出力させる（ステップＮ６）。このテレビ放送受信出力中において、ステップＮ３で起動した連続使用時間タイマの繰り上がりを検出すると（ステップＮ７でＹＥＳ）、上述した図２０の制御処理Ｆ（連続使用）に移る（ステップＮ８）。例えば、１時間以上の連続視聴に対して、テレビ視聴の中止を促すメッセージを出力させるほか、それでも視聴を続けている場合には、テレビを強制的に切るなど、テレビの連続使用に応じた制御を行う。また、テレビ処理の終了を指示する終了操作が行われると（ステップＮ９でＹＥＳ）、上述した図１７の制御処理Ｄ（機能）に移り（ステップＮ１０）、テレビ機能の終了に応じた制御を行う。なお、その他の操作が行われた場合には（ステップＮ１１でＹＥＳ）、操作に対応する処理として、例えば、チャンネル切り替えなどの処理を行う（ステップＮ１２）。
【００７８】
図１１のフローにおいて、電子決済機能の起動操作が行われると（ステップＡ２０でＹＥＳ）、電子決済機能処理に移る（ステップＡ２１）。
図２３は、電子決済機能処理（図１１のステップＡ２１）を詳述するためのフローチャートである。先ず、中央制御部１１は、電子決済機能のプログラムを起動したのち（ステップＰ１）、ＲＡＭ１３に記憶されている電子決済機能の使用回数に“１”を加算してそれを更新する（ステップＰ２）。そして、上述した図１７の制御処理Ｄ（機能）に移り（ステップＰ３）、電子決済機能の起動時に、例えば、“無駄遣いしないように”というメッセージを出力するなど、電子決済機能の起動に応じた制御を行う。
【００７９】
更に、上述した図１８の制御処理Ｅ（使用量／使用環境）を実行する（ステップＰ４）。この場合、図１８の制御処理Ｅ（使用量／使用環境）において、外部指示情報の実行条件に使用量が含まれている場合には、電子決済機能の起動時に上述のステップＦ２で更新された使用回数を使用量として読み出し、あるいは非接触ＩＣ通信部２２を介して使用金額（支払い金額、支払い合計金額）を使用量として取得する。また、外部指示情報の実行条件に使用環境が含まれている場合には、ＧＰＳ通信部２３から現在位置あるいはＲＴＣ２５から現在日時を使用環境として取得し、その使用量／使用環境（使用回数／使用金額／使用場所／使用時刻）に応じた制御を行う。これによって使い過ぎを注意したり、電子決済機能の深夜使用を注意するメッセージを出力したりするなど、電子決済機能の使用量／使用環境に応じた制御が行われる。図２７は、電子決済機能の使用量に応じたメッセージ画面を例示したもので、使用金額、使用回数が実行条件の指定金額、指定回数を超過した際に、無駄遣いを促すメッセージと共に、その注意者の顔写真などが表示される。
【００８０】
ここで、電子決済機１０からの信号で非接触ＩＣ通信部２２が起動して決済開始が指示されると（ステップＰ５）、電子決済機１０と非接触ＩＣ通信部２２とのデータ送受信に応じて決済処理を実行すると共に（ステップＰ６）、上述した図１８の制御処理Ｅ（使用量／使用環境）を実行する（ステップＰ７）。この場合、使用金額（支払い金額）に応じて注意を促すメッセージを出力させるなど、電子決済機能の使用量／使用環境に応じた制御が行われる。また、電子決済機能処理の終了を指示する終了操作が行われると（ステップＰ８でＹＥＳ）、上述した図１７の制御処理Ｄ（機能）に移り（ステップＰ９）、電子決済機能の終了に応じた制御を行う。なお、その他の操作が行われた場合には（ステップＰ１０でＹＥＳ）、操作に対応する処理として、例えば、データ設定などの処理を行う（ステップＰ１１）。
【００８１】
図１１のフローにおいて、非接触ＩＣ通信部２２を介して改札通過を検出すると（ステップＡ２２でＹＥＳ）、乗車券機能処理に移る（ステップＡ２３）。
図２４は、乗車券機能処理（図１１のステップＡ２３）を詳述するためのフローチャートである。先ず、中央制御部１１は、乗車券機能のプログラムを起動したのち（ステップＱ１）、ＲＡＭ１３に記憶されている乗車券機能の使用回数に“１”を加算してそれを更新する（ステップＱ２）。そして、自動改札機９と非接触ＩＣ通信部２２との間でのデータ送受信に応じて電子決済などの乗車券処理を実行したのち（ステップＱ３）、上述した図１８の制御処理Ｅ（使用量／使用環境）を実行する（ステップＱ４）。
【００８２】
この場合、図１８の制御処理Ｅ（使用量／使用環境）において、外部指示情報の実行条件に使用量が含まれている場合には、乗車券機能の起動時に上述のステップＦ２で更新された使用回数を使用量として読み出し、あるいは非接触ＩＣ通信部２２を介して使用金額（乗車料金）を使用量として取得する。また、外部指示情報の実行条件に使用環境が含まれている場合には、ＧＰＳ通信部２３から現在位置あるいはＲＴＣ２５から現在日時を使用環境として取得し、その使用量／使用環境（使用回数／使用金額／使用場所／使用時刻）に応じた制御を行う。これによって使い過ぎを注意したり、深夜の遠出を注意するメッセージを出力したりするなど、乗車券機能の使用量／使用環境に応じた制御が行われる。そして、制御処理Ｈ（改札）に移る（ステップＱ５）。
【００８３】
図２５は、改札通過に応じて実行開始される制御処理Ｈ（改札）を示したフローチャートである。先ず、中央制御部１１は、実行条件テーブル記憶部ＥＸをアクセスして「条件種別」が“改札”の「検出開始フラグ」を読み出し（ステップＲ１）、フラグ＝１であるか（改札を実行条件とする外部指示情報が受信記憶されているか）を調べ（ステップＲ２）、検出開始フラグが“０”で、改札を実行条件とする外部指示情報が受信記憶されていなければ、上述の全体フローに戻る。また、検出開始フラグが“１”であれば（ステップＲ２でＹＥＳ）、改札状況（どの駅か、入札か出札かなど）を現在の使用状況として検出すると共に（ステップＲ３）、「条件種別」が“改札”の外部指示情報からその実行条件を読み出し（ステップＲ４）、検出した改札状況と外部指示情報の実行条件とを比較し、改札状況は実行条件を満すかを調べる（ステップＲ５）。
【００８４】
いま、外部指示情報内の実行条件が“Ａ０８、駅識別情報、Ｂ８１（○○駅に入った）”の場合に、その駅の出札、あるいは他の駅の入札、出札が検出されると、外部指示情報内の実行条件を満さないので（ステップＲ５でＮＯ）、上述の全体フローに戻るが、その駅の入札が検出された場合には、実行条件を満すので（ステップＲ５でＹＥＳ）、この実行条件を含む外部指示情報内の「判別フラグ」に、条件成立を示す“１”を記憶したのち（ステップＲ６）、その実行条件対応の制御内容を実行する制御内容実行処理に移る（ステップＲ７）。このように中央制御部１１は、乗車券機能の動作中に外部指示情報を参照し、例えば、その送信者が指示したメッセージ（路線乗り換え案内などのメッセージ）を出力させるなど、改札通過に応じた制御を行う。
【００８５】
次に、そして、上述した図１７の制御処理Ｄ（機能）に移り（図２４のステップＱ６）、乗車券機能の起動時に、例えば、“行ってらっしゃい、お帰りなさい”のメッセージを出力させるなど、乗車券機能の起動／終了に応じた制御を行ったのち、乗車券機能を終了させる（ステップＱ７）。図２８は、乗車券機能において所定駅の改札を出たときに表示されるメッセージ画面を例示したもので、“○○駅に着いたら××の人宛にメールを送って下さい”が表示された場合である。
【００８６】
また、図１１のフローにおいて、無線通信部１６からの電話着信を検出すると（ステップＡ２４でＹＥＳ）、通話処理に移る（ステップＡ２５）。また、電源オフ操作を検出すると（ステップＡ２６でＹＥＳ）、図１２の制御処理Ａ（電源）に移り（ステップＡ２７）、電源オフに応じた制御を行ったのち、電源オフ処理を行う（ステップＡ２８）。その他の操作を検出すると（ステップＡ２９）、その操作に対応する処理として、例えば、着信音の変更処理などが行われる（ステップＡ３０）。
【００８７】
以上のように、この実施例において携帯電話装置１は、任意の条件で任意の内容を制御すべきことが外部から送信指示された場合に、この外部指示情報を構成する制御内容とその実行の契機となる実行条件とを受信して記憶したのち、この実行条件に該当する使用状況が当該実行条件を満すか否かに基づいて制御内容を実行するようにしたので、ある実行条件の成立有無に基づいて制御内容が実行されるように、その実行条件と制御内容とを送信する送信側で指定することができ、その送信側では高い自由度で容易に当該携帯電話装置１を制御することが可能となって、利便性を大幅に向上させることができる。
【００８８】
制御内容と実行条件とを受信した際に、その旨を携帯電話装置１のユーザに報知しないようにしたので、そのユーザによる故意あるいは過失によって当該外部指示情報が削除されることを防止することができる。
【００８９】
携帯電話装置１の現在の位置を検出し、この検出位置に基づいて実行条件を満しているか否かを判別するようにしたので、例えば、送信側の家の近くに来た場合に、家の近くである旨を表示させるというように、携帯電話装置１の現在位置に応じた制御を外部指示することが可能となる。
【００９０】
携帯電話装置１の電源状況を検出し、この電源状況に基づいて実行条件を満しているか否かを判別するようにしたので、例えば、携帯電話装置１の電源がオンされた場合に、メロディや画像を出力させるというように、携帯電話装置１の動作電源の状況に応じた制御を外部指示することが可能となる。
【００９１】
携帯電話装置１のスタイルを検出し、このスタイルに基づいて実行条件を満しているか否かを判別するようにしたので、例えば、携帯電話装置１の筐体を開いた場合に、送信者の顔画像や音声を出力させるというように、携帯電話装置１のスタイルに応じた制御を外部指示することが可能となる。
【００９２】
携帯電話装置１の機能を検出し、この機能に基づいて実行条件を満しているか否かを判別するようにしたので、携帯電話装置１に搭載されている機能の動作に応じた制御を外部指示することが可能となる。
【００９３】
例えば、乗車券機能で所定駅の改札を出たことを検出した場合に、改札を出たら連絡して欲しいということを表示させるというように、所定機能での所定場所の検出に応じた制御を外部指示することが可能となる。
【００９４】
また、スケジュール機能が起動された場合に、所定のスケジュールを登録しておいて欲しいということを表示させるというように、所定機能の起動に応じた制御を外部指示することが可能となる。
【００９５】
また、電子決済機能の使用金額が所定額を超過した場合や使用回数が所定回数を超過した場合に、無駄遣いを注意する旨を画像と共に表示させたり、テレビ視聴機能の連続使用時間が１時間を超過した場合に、視聴を中止する旨を表示させたりするというように、所定機能の使用量に応じた制御を外部指示することが可能となる。
【００９６】
電子決済機能が夜遅くに繁華街で使用されたことを検出した場合に、帰宅を促す注意を表示させるというように、所定機能での使用時刻あるいは使用場所に応じた制御を外部指示することが可能となる。
【００９７】
待合せ相手（送信側）に電話をかけようとした場合に、その待合せ場所付近の地図を表示させるというように、所定機能での通信開始に応じた制御を外部指示することが可能となる。
【００９８】
アドレス帳で通信相手（送信側）が指定された場合に、所定の音楽を出力させたり顔画像を表示させたりするというように、所定機能での通信相手の指定に応じた制御を外部指示することが可能となる。
【００９９】
制御内容は、携帯電話装置１に記憶されているデータ、あるいは受信したデータを出力させることを指示するもので、データを容易に出力させることができる。
【０１００】
制御内容は、携帯電話装置１に記憶されているデータ、あるいは受信したデータを外部に出力させることを指示するもので、例えば、携帯電話装置１にケーブルなどを介して接続されている外部機器への出力、イヤホンなどの外部スピーカ、テレビなどの外部モニタ、ＰＣなどへの出力が可能となるほか、電話番号、メールアドレス、ＩＰアドレスで示される他の携帯電話装置１、ＰＣなどを宛先としてデータを外部送信することができる。
【０１０１】
制御内容は、携帯電話装置１に搭載されている機能、あるいは受信した機能を起動させることを指示するもので、機能を容易に出力させることができる。
【０１０２】
制御内容は、携帯電話装置１に搭載されている機能、あるいは受信した機能を外部に送信させることを指示するもので、電話番号、メールアドレス、ＩＰアドレスで示される他の携帯電話装置１、ＰＣなどを宛先として機能を外部送信することができる。
【０１０３】
なお、上述した実施例においては、制御対象の機能として、アドレス帳機能、スケジュール帳機能、放送受信機能、電子決済機能、乗車券機能を例示したが、例えば、ＴＯＤＯ（行動管理ツール）機能、歩行者支援機能などのナビゲーションケー機能などであってもよい。また、通信相手を指定する機能としては、アドレス帳に限らず、発信履歴、着信履歴、ダイヤル入力などであってもよい。更に、通信相手の指定としては、指定した相手の情報の修正や削除する場合の指定であってもよい。なお、この場合においては通信相手の情報を修正したこと、削除したことを実行条件とすればよい。
【０１０４】
また、所定機能の使用量としては、回数や金額に限らず、パケット量や通話時間などの通信量であってもよい。また、機能の動作に関する条件としては、所定のテレビ番組やラジオ番組の視聴操作、所定キーの操作、所定時間の操作無し検出であってもよい。また、所定機能の通信開始は、音声発信に限らず、メール発信やデータ送信などの通信開始であってもよい。
【０１０５】
また、実行条件の成立に応じてその制御内容を実行したのち、この実行条件、制御内容を含む外部指示情報を削除するようにしてもよい。また、外部指示情報に実行条件、制御内容、データ／機能のほか、回数情報を含めるようにして、その送信側で回数指定を可能としてもよい。そして、この外部指示情報を受信した携帯電話装置１側では、実行条件の成立に応じてその制御内容を実行した回数をカウントし、そのカウント値が指定回数に達した際に、当該外部指示情報を削除するようにしてもよい。
【０１０６】
その他、携帯電話装置は、２軸回転型に限らず、折り畳み型、スライド型などであってもよい。その他、携帯電話装置に限らず、例えば、通信機能付きのＰＤＡ・電子カメラ・電子腕時計・音楽再生機などの通信端末装置であっても同様に適用可能である。
【図面の簡単な説明】
【０１０７】
【図１】通信端末装置として適用した携帯電話装置が利用可能な通信ネットワークシステムを示したブロック図。
【図２】携帯電話装置１の基本的な構成要素を示したブロック図。
【図３】実行条件テーブル記憶部ＥＸを説明するための図。
【図４】制御内容テーブル記憶部ＣＴを説明するための図。
【図５】外部指示情報記憶部ＲＣを説明するための図。
【図６】スタイル情報記憶部ＳＹを説明するための図。
【図７】アドレス帳記憶部ＡＤを説明するための図。
【図８】機能記憶部ＦＣを説明するための図。
【図９】データ記憶部ＤＴを説明するための図。
【図１０】電源投入に伴って実行開始される携帯電話装置の全体動作を示したフローチャート。
【図１１】図１０に続く、フローチャート。
【図１２】電源操作に応じて実行開始される制御処理Ａ（電源）を示したフローチャート。
【図１３】各制御処理Ａ〜Ｈにおいて、条件成立に応じて実行開始される制御内容実行処理を詳述するためのフローチャート。
【図１４】スタイル変更検出に応じて実行開始される制御処理Ｂ（スタイル）を示したフローチャート。
【図１５】位置検出タイミングに応じて実行開始される制御処理Ｃ（位置）を示したフローチャート。
【図１６】アドレス帳起動操作に応じて実行開始されるアドレス帳処理（図１０のステップＡ１５）を詳述するためのフローチャート。
【図１７】機能のオン／オフに応じて実行開始される制御処理Ｄ（機能）を示したフローチャート。
【図１８】機能の動作中に実行開始される制御処理Ｅ（使用量／使用環境）を示したフローチャート。
【図１９】通信相手の指定に応じて実行開始される制御処理Ｇ（相手）を示したフローチャート。
【図２０】連続使用の実行タイミングが検出される毎に実行開始される制御処理Ｆ（連続使用）を示したフローチャート。
【図２１】スケジュール処理（図１０のステップＡ１７）を詳述するためのフローチャート。
【図２２】テレビ処理（図１０のステップＡ１９）を詳述するためのフローチャート。
【図２３】電子決済機能処理（図１１のステップＡ２１）を詳述するためのフローチャート。
【図２４】乗車券機能処理（図１１のステップＡ２１）を詳述するためのフローチャート。
【図２５】改札通過に応じて実行開始される制御処理Ｈ（改札）を示したフローチャート。
【図２６】待合せ相手に電話をかけようとしたときに、その待合せ場所を示す地図を表示させた場合の地図画面を例示した図。
【図２７】電子決済機能の使用量に応じたメッセージ画面を例示した図。
【図２８】乗車券機能において所定駅の改札を出たときに表示されるメッセージ画面を例示した図。
【符号の説明】
【０１０８】
１  携帯電話装置
２  移動体通信網
４  インターネット
５  機能配信サーバ
６  テレビ局・ラジオ局
８  ＧＰＳ衛星
９  自動改札機
１０  電子決済機
１１  中央制御部
１２  ＲＯＭ
１３  ＲＡＭ
１６  外部記憶媒体
１６  無線通信部
１８  テレビ放送・ラジオ放送通信部
１９  表示部
２０  サウンドスピーカ
２１  赤外線通信部
２２  非接触ＩＣ通信部
２３  ＧＰＳ通信部
２４  操作部
２５  ＲＴＣ
２６  スタイル検出部
ＥＸ  実行条件テーブル記憶部
ＣＴ  制御内容テーブル記憶部
ＲＣ  外部指示情報記憶部
ＳＹ  スタイル情報記憶部
ＦＣ  機能記憶部
ＡＤ  アドレス帳記憶部
ＤＴ  データ記憶部
ＳＤ  スケジュール帳記憶部
ＭＬ  メール記憶部
【図１】
2009065491.tif 000003
【図２】
2009065491.tif 000004
【図３】
2009065491.tif 000005
【図４】
2009065491.tif 000006
【図５】
2009065491.tif 000007
【図６】
2009065491.tif 000008
【図７】
2009065491.tif 000009
【図８】
2009065491.tif 000010
【図９】
2009065491.tif 000011
【図１０】
2009065491.tif 000012
【図１１】
2009065491.tif 000013
【図１２】
2009065491.tif 000014
【図１３】
2009065491.tif 000015
【図１４】
2009065491.tif 000016
【図１５】
2009065491.tif 000017
【図１６】
2009065491.tif 000018
【図１７】
2009065491.tif 000019
【図１８】
2009065491.tif 000020
【図１９】
2009065491.tif 000021
【図２０】
2009065491.tif 000022
【図２１】
2009065491.tif 000023
【図２２】
2009065491.tif 000024
【図２３】
2009065491.tif 000025
【図２４】
2009065491.tif 000026
【図２５】
2009065491.tif 000027
【図２６】
2009065491.tif 000028
【図２７】
2009065491.tif 000029
【図２８】
2009065491.tif 000030